(57)【要約】  【課題】最下部及びその上部の引き出し式貯蔵室の奥行き寸法を同様に確保させつつ、蒸発器の冷却性能の低下を防止させた冷蔵庫を提供する。  【解決手段】断熱箱体１０１の背面上部に圧縮機１１１を配設し、最下部に引き出し式冷凍室１０３とその上部に引き出し式野菜室１０４を形成した冷蔵庫において、冷凍室１０３と野菜室１０４の背面に冷却室１１２を設け、蒸発器１１９を冷凍室１０３と野菜室１０４にまたがって配設し、冷蔵室戻り空気１２５と冷凍室戻り空気１２７の蒸発器１１８への流入口を分割させることにより蒸発器１１８に一様に霜を付けることができ、蒸発器１１８の下面が霜で覆われ空気が通過しない目詰まりを防止し冷却能力低下を抑制させながら庫内容積と奥行き寸法を拡大させることができる。【選択図】図２
2006153358.tif 000002
【特許請求の範囲】
【請求項１】
前面を開口した断熱箱体内に複数の貯蔵室を区画形成し、冷凍サイクルの圧縮機を最下部の第一の貯蔵室及び前記第一の貯蔵室の上部に断熱仕切壁で区画された第二の貯蔵室の後方以外の領域に配設する冷蔵庫であって、前記第一の貯蔵室の背面と前記第二の貯蔵室の背面とにまたがって上下方向に配置されるとともに前記第一の貯蔵室及び前記第二の貯蔵室とは仕切壁で区画された冷却室を設け、前記冷却室の内部に多数のフィンを有する冷凍サイクルの蒸発器を上下方向に収容し、前記第一の貯蔵室を冷却した第一の貯蔵室戻り空気を前記蒸発器前面に戻すための第一の貯蔵室戻り風路と、前記第一の貯蔵室以外の貯蔵室を冷却した戻り空気を前記蒸発器下面に戻すための戻り風路を備えた冷蔵庫。
【請求項２】
前面を開口した断熱箱体内に複数の貯蔵室を区画形成し、冷凍サイクルの圧縮機を最下部の第一の貯蔵室及び前記第一の貯蔵室の上部に断熱仕切壁で区画された第二の貯蔵室の後方以外の領域に配設する冷蔵庫であって、前記第一の貯蔵室の背面と前記第二の貯蔵室の背面とにまたがって上下方向に配置されるとともに前記第一の貯蔵室及び前記第二の貯蔵室とは仕切壁で区画された冷却室を設け、前記冷却室の内部に多数のフィンを有する冷凍サイクルの蒸発器を上下方向に収容し、前記蒸発器の中央部分のフィンを他の部分に比べて間引いた部分を有し、前記第一の貯蔵室以外の貯蔵室を冷却した戻り空気の一部を前記蒸発器中央部のフィンを間引いた部分から戻すための戻り風路を備えた冷蔵庫。
【請求項３】
前記第一の貯蔵室を冷凍室とした請求項１または２に記載の冷蔵庫。
【請求項４】
前記蒸発器は、戻り空気の前記蒸発器流入部のフィン間隔は、前記蒸発器最上部のフィン間隔より広いフィン間隔とした請求項１または２に記載の冷蔵庫。
【請求項５】
前記蒸発器は、前記第一の貯蔵室以外の貯蔵室を冷却した戻り空気を前記蒸発器に戻すための戻り風路配設側のフィン間隔を、戻り風路を配設していない側のフィン間隔より広いフィン間隔とした請求項１または２に記載の冷蔵庫。
【発明の詳細な説明】
【技術分野】
【０００１】
本発明は、圧縮機や蒸発器などの冷凍サイクルの配置構成により冷却風路配設を簡素化し蒸発器に付着する霜による冷却能力の低下を防止することにより、貯蔵室の庫内容積有効活用を図る冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来のこの種の冷蔵庫は、最下部に配設された貯蔵室の庫外側後方領域に機械室を形成し、この機械室内に冷凍サイクルの圧縮機を収容するものが一般的であるが、このような構成であると、機械室に最下部の貯蔵室の収納スペースが侵害されて収納容積が減少し、また収納スペースの空間形状も機械室の突出部を除いた複雑な形状となって収納性がよくないものとなっていた。
【０００４】
このような従来からの収納性に関わる問題点を解消する目的のために、断熱箱体の貯蔵室内最上部の後背部が下がるように窪ませた凹部を設け、その凹部に冷凍サイクルの圧縮機などの高圧側構成機器を収納するという冷蔵庫が提案されている（例えば、特許文献１参照）。
【０００５】
また、蒸発器が収納されている冷却室の前部に位置する貯蔵室の奥行き寸法を確保するため、複数の貯蔵室を冷却し水分を含んだ戻り空気を戻すための戻り風路を蒸発器の側面に配設した風路構成としている冷蔵庫が提案されている（例えば、特許文献２参照）。
【０００６】
図４は、特許文献１に記載された従来の冷蔵庫の縦断面図を示すものであり、図５は同冷蔵庫の冷却室の斜視図を示すものである。
【０００７】
図４に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える２枚の引き出しタイプの冷凍室引き出し扉６ａ、６ｂと野菜室引き出し扉７を設けてある。冷蔵室２の庫内には複数の収納棚８が設けられており、冷凍室３と野菜室４には上面開口形状の収納容器９ａ，９ｂが取り付けてある。この収納容器９ａ，９ｂは前後方向のレール（図示せず）に、ローラで前後方向へ移動可能に支持されている。
【０００８】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【０００９】
冷凍サイクルの構成機器である圧縮機１６と凝縮器１７は機械室ファン１８と共に凹部１０内に収まるように配設され、上板１３と背板１４で構成された凹部カバー１５にて覆われている。
【００１０】
また、冷凍サイクルの構成機器である蒸発器２０は断熱箱体１の中段となる冷凍室３の後背部に冷却ファン２１と共に配設されており、最下部の貯蔵室である野菜室４は奥行き深く構成してある。
【００１１】
これにより、断熱箱体１の背面下部に圧縮機１６や凝縮器１７を収納するものと比較して、最下部の貯蔵室である野菜室４の内容積を大きく、深く構成でき、貯蔵室の空間形状も圧縮機１６などの無効スペースによる複雑な形状とならず収納性を高めることができるものである。
【００１２】
さらには図５に示すように、蒸発器３１右側面側の戻り風路３２の出口から除霜用ヒータ３３と露受け皿３４との間に案内板３５が蒸発器３１の下部の左側面側まで延びており、案内板３５と露受け皿３４との間にダクト状の空間を形成している。案内板３５の表面には開口部３５ａが設けてあり、開口部３５ａにより冷蔵室（図示せず）の戻り空気３６は蒸発器３１の下部に分散し、案内板３５と蒸発器３１の下端の間に流入する冷凍室（図示せず）からの戻り空気３７と混合して蒸発器３１の下部に一様に吸入される。
【００１３】
これにより、蒸発器３１の前部に位置する貯蔵室の奥行き寸法を拡大させ、冷蔵室（図示せず）の戻り風路３２を蒸発器３１の側面に配設させても、多湿な冷蔵室（図示せず）戻り空気による蒸発器３１の偏着霜による目詰まりを防止し冷却性能の低下を抑制できるものである。
【特許文献１】特開２００１−９９５５２号公報
【特許文献２】特開平１１−１８３０１１号公報
【発明の開示】
【発明が解決しようとする課題】
【００１４】
しかしながら、上記従来の構成では、蒸発器３１の下部の除霜用ヒータ３３と露受け皿３４との間に案内板３５を設け、蒸発器３１の下面に均一に霜を付着させることが出来るが、戻り風路３２から出た冷蔵室戻り空気３６は案内板３５と除霜用ヒータ３３を通過しなければならず、この案内板３５と除霜用ヒータ３３の雑物が風路抵抗となり冷蔵室の風量ダウンを招きかねない。
【００１５】
さらに、蒸発器３１の下面に均一に霜を付着させることが出来るが、過度の多湿戻り空気が蒸発器３１に吸い込まれると蒸発器３１の下面付近のみが目詰まりし、蒸発器３１の中央部から上部にかけての冷却能力を引き出すことができない。
【００１６】
また、除霜用ヒータ３３の下部に案内板３５を設けているため、除霜時に除霜用ヒータ３３の輻射熱が案内板３５に塞がれ露受け皿３４が温度上昇せず霜残りとなり、排水不良で水漏れしてしまう。
【００１７】
また、案内板３５と露受け皿３４との間にダクト状の空間を形成しているため冷却室が上下方向に拡大し、冷却室の配置によっては必要な大きさの蒸発器と冷却ファン（図示せず）を所定の冷却室に収納できなくなり、冷却室が３つの貯蔵室の背面におよび、冷却室と貯蔵室のシール性が複雑となる。
【００１８】
以上のように、上記従来の構成では冷凍サイクルの配置構成を工夫し、圧縮機１６を最下部の貯蔵室の領域から除いて収納容積や収納性を高め、さらに戻り風路３２を蒸発器３１の側面に配設し戻り風路による収納容積の減少を極力抑え、蒸発器３１の側面に戻り風路３２を配設したことにより発生する偏着霜を案内板３５により防止しても、案内板３５を設けたことによるデメリットが発生し、風量ダウン、水漏れ等の課題を有するものであった。
【００１９】
本発明は、上記従来の課題を解決するもので、収納容積や収納性を高め蒸発器の冷却性能の低下を防止させた冷蔵庫を提供することを目的とする。
【課題を解決するための手段】
【００２０】
上記従来の課題を解決するために、本発明の冷蔵庫は、冷凍サイクルの圧縮機を最下部の第一の貯蔵室及び前記第一の貯蔵室の上部に断熱仕切壁で区画された第二の貯蔵室の後方以外の領域に配設する冷蔵庫であって、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に多数のフィンを有する冷凍サイクルの蒸発器を上下方向に収容し、前記第一の貯蔵室を冷却した第一の貯蔵室戻り空気を前記蒸発器前面に戻すための第一の貯蔵室戻り風路と、前記第一の貯蔵室以外の貯蔵室を冷却した戻り空気を前記蒸発器下面に戻すための戻り風路を備えたものである。
【００２１】
また、本発明の冷蔵庫は、冷凍サイクルの圧縮機を最下部の第一の貯蔵室及び前記第一の貯蔵室の上部に断熱仕切壁で区画された第二の貯蔵室の後方以外の領域に配設する冷蔵庫であって、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に多数のフィンを有する冷凍サイクルの蒸発器を上下方向に収容し、前記第一の貯蔵室以外の貯蔵室を冷却した戻り空気の一部を前記蒸発器中央部のフィンを間引いた部分から戻すための戻り風路を備えたものである。
【００２２】
これによって、戻り風路による収納容積の減少を抑えた上で、さらに蒸発器の側面に戻り風路を配設したことによる偏着霜を防止することができ、冷蔵庫の基本機能も確保することができる。
【発明の効果】
【００２３】
本発明の冷蔵庫は、最下部の貯蔵室と少なくともその直上部の貯蔵室の奥行きを拡大でき、貯蔵室内の空間形状も複雑な形状とならず、収納容積を増大し、収納性を高めることによって使い勝手を向上させることができ、さらには偏着霜による冷却性能の低下を抑制することができる。
【発明を実施するための最良の形態】
【００２４】
請求項１に記載の発明は、前面を開口した断熱箱体内に複数の貯蔵室を区画形成し、冷凍サイクルの圧縮機を最下部の第一の貯蔵室及び前記第一の貯蔵室の上部に断熱仕切壁で区画された第二の貯蔵室の後方以外の領域に配設する冷蔵庫であって、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に多数のフィンを有する冷凍サイクルの蒸発器を上下方向に収容し、前記第一の貯蔵室を冷却した第一の貯蔵室戻り空気を前記蒸発器前面に戻すための第一の貯蔵室戻り風路と、前記第一の貯蔵室以外の貯蔵室を冷却した戻り空気を前記蒸発器下面に戻すための戻り風路を備えることにより、第一の貯蔵室と第二の貯蔵室の収納容積を増大させ、戻り風路による収納容積減少を抑えると共に、蒸発器の偏着霜を防止することができ冷却性能の低下を抑制することができる。
【００２５】
請求項２に記載の発明は、前面を開口した断熱箱体内に複数の貯蔵室を区画形成し、冷凍サイクルの圧縮機を最下部の第一の貯蔵室及び前記第一の貯蔵室の上部に断熱仕切壁で区画された第二の貯蔵室の後方以外の領域に配設する冷蔵庫であって、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に多数のフィンを有する冷凍サイクルの蒸発器を上下方向に収容し、前記第一の貯蔵室以外の貯蔵室を冷却した戻り空気の一部を前記蒸発器中央部のフィンを間引いた部分から戻すための戻り風路を備えたものであり、第一の貯蔵室と第二の貯蔵室の収納容積を増大させ、戻り風路による収納容積減少を抑えると共に、蒸発器の偏着霜を防止することができ冷却性能の低下を抑制することができる。
【００２６】
請求項３に記載の発明は、請求項１または２に記載の発明において、前記第一の貯蔵室を冷凍室としたものであり、最下部の冷凍室の奥行きを拡大することができて、しかも室内の空間形状も複雑な形状とならず大きめの収納物も合理的に収納できて収納性を高めることができ、長期冷凍保存のストック食品のほか短期冷凍保存のフロー食品の増加による冷凍食品の利用頻度の増加にも十分に対応できる利便性の高い冷蔵庫を提供できる。
【００２７】
請求項４に記載の発明は、請求項１または２に記載の発明において、前記蒸発器は、戻り空気の前記蒸発器流入部のフィン間隔は、前記蒸発器最上部のフィン間隔より広いフィン間隔としたものであり、多湿の戻り空気が流入部で一気に着霜し目詰まりによる冷却性能の低下を抑制することができる。
【００２８】
請求項５に記載の発明は、請求項１または２に記載の発明において、前記蒸発器は、前記第一の貯蔵室以外の貯蔵室を冷却した戻り空気を前記蒸発器に戻すための戻り風路配設側のフィン間隔を、戻り風路を配設していない側のフィン間隔より広いフィン間隔としたものであり、多湿の戻り空気が蒸発器の戻り風路を配設した側付近に偏着霜するのを防止し冷却性能の低下を抑制することができる。
【００２９】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００３０】
（実施の形態１）
図１は本発明の実施の形態１における冷蔵庫の縦断面図を示すものであり、図２は同実施の形態の冷蔵庫の冷却室の斜視図を示すものである。
【００３１】
図１において、例えば硬質発泡ウレタンなどの断熱材で周囲と断熱して構成されている断熱箱体１０１は複数の区画に区分されており、最上部に冷蔵室１０２、最下部に第一の貯蔵室としての冷凍室１０３、そして冷蔵室１０２と冷凍室１０３との間において冷凍室１０３の直上部に第二の貯蔵室としての野菜室１０４が配置される構成となっている。冷凍室１０３及び野菜室１０４はともに引き出し式貯蔵室の形態を有している。各貯蔵室の前面開口部にはそれぞれ断熱扉である冷蔵室回転扉１０５、冷凍室引き出し扉１０６、野菜室引き出し扉１０７が備えられている。
【００３２】
冷蔵室１０２は冷蔵保存のために凍らない温度を下限に通常１〜５℃で設定されている。また、野菜室１０４は冷蔵室１０２と同等もしくは若干高い温度設定の２℃〜７℃とすることが多い。低温にするほど葉野菜の鮮度を長期間維持することが可能である。
【００３３】
冷凍室１０３は冷凍温度帯に設定されており、冷凍保存のために通常−２２〜−１８℃で設定されているが、冷凍保存状態の向上のために、たとえば−３０や−２５℃の低温で設定されることもある。
【００３４】
断熱箱体１の天面部は冷蔵庫の背面方向に向かって階段状に凹みを設けて、第一の天面部１０８と、第二の天面部１０９で構成されており、この階段状の凹部１１０に圧縮機１１１、水分除去を行うドライヤ（図示せず）等の冷凍サイクルの高圧側の構成部品が収納されている。
【００３５】
すなわち、圧縮機１１１を配設する凹部１１０は、冷蔵室１０２内の最上部の後方領域に食い込んで形成されることになる。したがって、従来一般的であった断熱箱体１０１の最下部の貯蔵室の後方領域に圧縮機１１１は配置されない。
【００３６】
冷凍室１０３と野菜室１０４の両室の背面にまたがって冷却室１１２が設けられ、冷却室１１２は仕切壁としての断熱性を有する第一の仕切り１１３で冷凍室１０３および野菜室１０４から仕切られている。
【００３７】
また、冷凍室１０３と野菜室１０４は断熱仕切壁としての断熱性を有する第二の仕切り１１４で仕切られている。第一の仕切り１１３および第二の仕切り１１４は、断熱箱体１０１の発泡後組み立てられる部品であるため、通常断熱材として発泡ポリスチレンが使われるが、断熱性能や剛性を向上させるために硬質発泡ウレタンを用いてもよく、更には高断熱性の真空断熱材を挿入して、仕切り構造のさらなる薄型化を図ってもよい。
【００３８】
また、冷蔵室１０２と野菜室１０４とは第三の仕切り１１５で区画されている。第三の仕切り１１５は必要に応じて、例えば野菜室１０４の上部が直接冷蔵室１０２に隣接するのでなく低温室や製氷室などの冷蔵温度より低い温度帯室に隣接する場合などには断熱材を用いた断熱仕切りとしてもよい。
【００３９】
冷凍室１０３と野菜室１０４にはそれぞれ食品を収納する第一の引き出し式貯蔵室用収納容器としての上面を開口した冷凍室用収納容器１１６と第二の引き出し式貯蔵室用収納容器としての上面を開口した野菜室用収納容器１１７が設けられており、それぞれの収納容器１１６，１１７は前後方向のレール（図示せず）と収納容器１１６，１１７を載置するローラ付きのフレームにより前後方向へ移動可能に支持されている。
【００４０】
冷却室１１２内には、代表的なものとしてフィンアンドチューブ式の蒸発器１１８が断熱仕切壁である第二の仕切り１１４の後方領域を含めて冷凍室１０３と野菜室１０４とにまたがって上下方向に縦長に配設されており、冷凍室１０３の領域の配置比率が野菜室１０４の領域の配置比率より大きくなるように配置されている。
【００４１】
蒸発器１１８の上部空間には強制対流方式により冷蔵室１０２，冷凍室１０３，野菜室１０４に蒸発器１１８で冷却した冷気を送風する冷却ファン１１９が配置され、蒸発器１１８の下部空間には冷却時に蒸発器１１８や冷却ファン１１９に付着する霜を除霜する除霜装置としてのガラス管製のラジアントヒータ１２０が設けられている。
【００４２】
また、ラジアントヒータ１２０で除霜された水を受ける除霜水受け皿１２１と、除霜水受け皿１２１に接続された除霜水を庫外へ導出する排水管１２２で構成される除霜水排水機構１２３が冷却室１１２の上方からの投影面内にほぼ収まるように設置されている。なお、排水管１２２は断熱箱体１０１の底面を貫通し、断熱箱体１０１の底面下部に設けられた蒸発皿１２４に排水するよう構成されている。
【００４３】
蒸発皿１２４は、排水した除霜水が空気と接触する面積を大きくするために浅広く形成され、蒸発皿１２４に対しては排水された除霜水を蒸発促進させるための凝縮配管やヒータなどの加熱装置（図示せず）が作用するよう配置されている。
【００４４】
上述のように冷凍サイクルの圧縮機１１１が冷凍室１０３の後方領域に存在しないため、冷却室１１２と除霜水排水機構１２３は冷凍室１０３のほぼ底面から野菜室１０４のほぼ天面となる第三の仕切り１１５の高さまで、断熱仕切壁である第二の仕切り１１４の後方領域を貫通するような形で極力奥行き方向の厚みを大きくしないように配慮されて、ほぼ同様の厚みで上下方向に一直線上に配置されている。
【００４５】
このことにより、冷凍室引き出し扉１０６の室内側裏面から冷却室１１２の前面壁となる第一の仕切り１１３までの冷凍室１０３内の奥行きと野菜室引き出し扉１０７の室内側裏面から冷却室１１２の前面壁となる第一の仕切り１１３までの野菜室１０３内の奥行きはほぼ同等の奥行きに形成されている。
【００４６】
また、同様に冷凍室引き出し扉１０６によって引き出される冷凍室用収納容器１１６の奥行きと野菜室引き出し扉１０７によって引き出される野菜室用収納容器１１７の奥行きはほぼ同等のものが用いられ、その形状についても冷凍室１０３の後方に従来の機械室に相当するような突出部分が食い込まないため双方ともにほぼ直方体状の形状を有している。
【００４７】
また、これに合わせて、冷凍室用収納容器１１６，野菜室用収納容器１１７を前後に移動させるレールの長さもほぼ同等のものが適用される。
【００４８】
以上のように構成された冷蔵庫について、以下その動作、作用を説明する。
【００４９】
まず、冷凍サイクルの動作について説明する。庫内の設定された温度に応じて制御基板（図示せず）からの信号により冷凍サイクルが動作して冷却運転が行われる。圧縮機１１１の動作により吐出された高温高圧の冷媒は、凝縮器（図示せず）にて放熱して凝縮液化し、キャピラリチューブ（図示せず）に至る。その後、キャピラリチューブでは圧縮機１１１への吸入管（図示せず）と熱交換しながら減圧されて低温低圧の液冷媒となって蒸発器１１８に至る。
【００５０】
冷却ファン１１９の動作により、各貯蔵室内の空気と熱交換されて蒸発器１１８内の冷媒は蒸発気化し、低温の冷気をダンパ装置（図示せず）などで供給制御することで各室の所定の冷却を行う。蒸発器１１８を出た冷媒は吸入管を経て圧縮機１１１へと吸い込まれる。
【００５１】
圧縮機１１１を断熱箱体１０１の天面部に配置して冷凍室１０３の後方領域には設置せず、冷却室１１２を冷凍室１０３と野菜室１０４の背面に配置し、蒸発器１１８と冷却ファン１１９を概ね冷凍室１０３と野菜室１０４の高さ範囲内で設け、蒸発器１１８を高さ方向に延長させ奥行き寸法を短縮することにより、冷却室１１２の厚みを薄くして庫内容積として寄与しない無効スペースを減少でき、冷凍室用収納容器１１６と野菜室用収納容器１１７との奥行き寸法をほぼ同等とすることにより、一方の貯蔵室の内容積を減らすことなく冷凍室用収納容器１１６と野菜室用収納容器１１７との奥行き寸法を共に拡大させることができ、収納容量を増やして使い勝手を向上させることができる。
【００５２】
ここで、冷却ファン１１９の動作により蒸発器１１８で冷却された空気が冷凍室１０３と野菜室１０４と冷蔵室１０２に送風され、野菜室１０４と冷蔵室１０２はダンパ装置（図示せず）などで冷気の供給を制御する。各貯蔵室を冷却した冷気は多湿な空気となり戻り風路を通り蒸発器１１８に吸入される。冷却室１１２を構成する要素部品は主として、蒸発器１１８、冷却ファン１１９、除霜装置としてのラジアントヒータ１２０、冷却ファン１１９から吐出された冷気を各貯蔵室に送風する吐出風路、各貯蔵室を冷却した空気が蒸発器１１８に帰還するための戻り風路であり、冷却室１１２前部に位置する貯蔵室の奥行き寸法を減少させないためには、冷却室１１２を構成している要素部品を整然と配設し奥行き方向に並べず冷却室１１２を薄くすることがポイントである。
【００５３】
冷蔵室１０２および野菜室１０４から多湿な冷蔵室戻り空気１２５が蒸発器１１８に帰還するための冷蔵室戻り風路１２６を蒸発器１１８の側面に配設し、冷蔵室戻り空気１２５を蒸発器１１８の下面から流入させる。冷凍室戻り空気１２７は、蒸発器１１８前面に設けられた吸い込み口１２８から蒸発器１１８に流入させる。
【００５４】
このように冷蔵室戻り空気１２５と冷凍室戻り空気１２７の蒸発器１１８への流入口を分割させることにより蒸発器１１８に一様に霜を付けることができ、特に各貯蔵室の扉開閉が頻繁に行なわれ、周囲温度、湿度が高い条件では蒸発器１１８の下面が霜で覆われ空気が通過しない目詰まりな状態となり、循環する冷気の風量が減少し、冷却能力が劣ってしまうのを防止することができる。
【００５５】
また、冷蔵室戻り空気１２５が流入する蒸発器１１８下面のフィン１２９の間隔と、冷凍室戻り空気１２７が流入する蒸発器１１８前面部のフィン１２９の間隔を蒸発器１１８上部のフィン１２９の間隔より拡大することにより、多湿である戻り空気が蒸発器１１８に流入されても目詰まりが起こり難くなり冷却能力が劣ってしまうのを防止することができる。
【００５６】
なお、冷凍室１０３の背面と野菜室１０４の背面にまたがって配置される蒸発器１１８の配置比率を冷凍室１０３側に大きくなるように配置することで、冷蔵温度帯である野菜室１０４側への過冷却の影響を軽減できる。
【００５７】
特に、近年、使用者の使用頻度や鮮度管理のしやすさ、人間工学的な使い勝手の観点などから、使用頻度の最も高い冷蔵室を使用者の前面で見開いて出し入れできる上段位置に、重量物の出し入れもありかつ健康志向で日常的に鮮度管理もしたい野菜室を使いやすい中段に、そして長期間出し入れしないストック品などもありかつ取り扱い時の落下などへの配慮も必要な冷凍室を最下段にレイアウトした冷蔵庫が主流になっているが、このレイアウトにおいて圧縮機を含めた機械室の配置で最下段の冷凍室の収納容量を十分に確保できないのが欠点であったが、本実施の形態によると最下段の冷凍室１０３の奥行きを野菜室１０４と同様に拡大することができて、しかも室内の空間形状も複雑な形状とならず大きめの収納物も合理的に収納できて収納性を高めることができ、長期冷凍保存のストック食品のほか弁当や惣菜用など短期冷凍保存のフロー食品の増加による冷凍食品の利用頻度の増加にも十分に対応できる利便性の高い冷蔵庫を提供できる。
【００５８】
（実施の形態２）
図３は本発明の実施の形態２における冷蔵庫の冷却室の斜視図を示すものである。なお、実施の形態１と同一構成については同一符号を付して説明を省略する。
【００５９】
蒸発器１１８は、熱交換を行うフィン１２９が上下に分割され、従来のものと比較し上下方向から見て中央付近のフィン１２９が間引かれた状態となり、フィン１２９が間引かれた中央付近は伝熱管１３０が剥き出された構成としている。
【００６０】
以上のような構成において、冷凍室１０３を冷却した冷凍室戻り空気１２７を蒸発器１１８の下面から戻し、蒸発器１１８の側面に形成された野菜室１０４および冷蔵室１０２の冷蔵室戻り風路１２６から、野菜室１０４および冷蔵室１０２の冷蔵室戻り空気１２５の一部の戻り空気１３１を蒸発器１１８のフィン１２９が間引かれた中央付近から戻すことにより、冷凍室１０３と比較し水分を多く含んだ野菜室１０４および冷蔵室１０２の冷蔵室戻り空気１２５が蒸発器１１８の下面で氷結し霜で覆われ易くなり、風量減少による冷却能力が低下し易くなるのを防止することができる。
【００６１】
これにより、冷蔵庫の基本機能である冷却性能を損なわずに冷却室１１２の前部に位置する貯蔵室の奥行き寸法を最大限確保できる。
【００６２】
また、冷蔵室戻り空気１２５と冷凍室戻り空気１２７が流入する蒸発器１１８下面のフィン１２９の間隔と、冷蔵室戻り空気１２５の一部の戻り空気１３１が流入する蒸発器１１８中央部のフィン１２９の間隔を蒸発器１１８上部のフィン１２９の間隔より拡大することにより、多湿である戻り空気が蒸発器１１８に流入されても目詰まりが起こり難くなり冷却能力が劣ってしまうのを防止することができる。
【産業上の利用可能性】
【００６３】
以上のように、本発明にかかる冷蔵庫は、最下部の貯蔵室と少なくともその直上部の貯蔵室の奥行きをシンプルな形状で拡大して収納性を高めながら、蒸発器の目詰まりを防止し冷却性能の低下を防止することができ、多様な貯蔵室を複数有する冷蔵庫や冷凍庫等の用途に広く適用できる。
【図面の簡単な説明】
【００６４】
【図１】本発明の実施の形態１における冷蔵庫の縦断面図
【図２】本発明の実施の形態１における冷蔵庫の冷却室の斜視図
【図３】本発明の実施の形態２における冷蔵庫の冷却室の斜視図
【図４】従来の冷蔵庫の縦断面図
【図５】従来の冷蔵庫の冷却室の斜視図
【符号の説明】
【００６５】
１０１  断熱箱体
１０３  第一の貯蔵室（冷凍室）
１０４  第二の貯蔵室（野菜室）
１１１  圧縮機
１１２  冷却室
１１４  断熱仕切壁（第二の仕切り）
１１８  蒸発器
１２５  第一の貯蔵室以外の貯蔵室の戻り空気（冷蔵室戻り空気）
１２６  第一の貯蔵室以外の貯蔵室の戻り風路（冷蔵室戻り風路）
１２７  第一の貯蔵室の戻り空気（冷凍室戻り空気）
１２８  第一の貯蔵室の戻り風路（吸い込み口）
１２９  フィン
【図１】
2006153358.tif 000003
【図２】
2006153358.tif 000004
【図３】
2006153358.tif 000005
【図４】
2006153358.tif 000006
【図５】
2006153358.tif 000007